(57)【要約】【課題】反転機構部に別途排気ファンを設けることなく、両面印刷時に、定着手段により加熱された用紙を、効果的に冷却し、用紙のカールや、しわ、たわみに起因する紙詰まりや、印刷不良を防止する【解決手段】本体部１の排気ダクト５の経路中に形成された連結窓５１と、反転機構部２に形成され、その上端が前記連結窓５１に連結され、下端が反転搬送路２１の入口側２２近傍に連通する反転部排気ダクト６と、反転搬送路２１の入口側２２近傍の前記反転部排気ダクト６と相対する壁面に設けられた通気口７とから成り、前記連結窓５１に反転部排気ダクト６を連結し、前記通気口７から吸入された空気を、反転搬送路２１の入口側２２近傍から反転部排気ダクト６を経由して本体部１の排気ダクト５に導き、排気ファン３により外部に排気して反転搬送路２１を通過する記録媒体１２を冷却する。【選択図】図２
2004258159.tif 000002
【特許請求の範囲】
【請求項１】
記録媒体の搬送路と、この搬送路に配置され感光ドラム上にトナー像を担持し、このトナー像を前記記録媒体に転写させるための転写手段と、この転写手段を通過した記録媒体に転写されたトナー像を定着するための定着手段と、この定着手段を冷却するためその近傍の雰囲気を排気する排気ダクトと、この排気ダクト内を排気する排気ファンとを備えた本体部と、この本体部の搬送路に結合され、両面印刷時に前記記録媒体の印字面を反転させる反転手段と反転搬送路とを備えた反転機構部とからなるレーザープリンターにおいて、
前記本体部の排気ダクトの経路中に形成され、常時はバネ力により閉塞される蓋を備えた連結窓と、前記反転機構部に形成され、その上端が前記連結窓に連結され、下端が反転搬送路の入口側近傍に連通する反転部排気ダクトと、反転搬送路の入口側近傍の前記反転部排気ダクトと相対する壁面に設けられた通気口とから成り、前記連結窓に反転部排気ダクトを連結したとき、前記反転部排気ダクトに設けられた連結部によりバネ力に抗して蓋を開き、前記通気口から吸入された空気を、反転搬送路の入口側近傍から反転部排気ダクトを経由して本体部の排気ダクトに導き、排気ファンにより外部に排気して反転搬送路を通過する記録媒体を冷却したことを特徴とするレーザープリンター。
【請求項２】
記録媒体の搬送路と、この搬送路に配置され感光ドラム上にトナー像を担持し、このトナー像を前記記録媒体に転写させるための転写手段と、この転写手段を通過した記録媒体に転写されたトナー像を定着するための定着手段と、この定着手段を冷却するためその近傍の雰囲気を排気する排気ダクトと、この排気ダクト内を排気する排気ファンとを備えた本体部と、この本体部の搬送路に結合され、両面印刷時に前記記録媒体の印字面を反転させる反転手段と反転搬送路とを備えた反転機構部とからなるレーザープリンターにおいて、
両面印刷時、本体部の排気ファンにより反転機構部の反転搬送路近傍の空気を外部に排気して反転搬送路を通過する記録媒体を冷却用に兼用したことを特徴とするレーザープリンター。
【請求項３】
記録媒体の搬送路と、この搬送路に配置され感光ドラム上にトナー像を担持し、このトナー像を前記記録媒体に転写させるための転写手段と、この転写手段を通過した記録媒体に転写されたトナー像を定着するための定着手段と、この定着手段を冷却するためその近傍の雰囲気を排気する排気ダクトと、この排気ダクト内を排気する排気ファンとを備えた本体部と、この本体部の搬送路に結合され、両面印刷時に前記記録媒体の印字面を反転させる反転手段と反転搬送路とを備えた反転機構部とからなるレーザープリンターにおいて、
前記本体部の排気ダクトの経路中に形成された連結窓と、前記反転機構部に形成され、その上端が前記連結窓に連結され、下端が反転搬送路の入口側近傍に連通する反転部排気ダクトと、反転搬送路の入口側近傍の前記反転部排気ダクトと相対する壁面に設けられた通気口とから成り、前記連結窓に反転部排気ダクトを連結したとき、前記通気口から吸入された空気を、反転搬送路の入口側近傍から反転部排気ダクトを経由して本体部の排気ダクトに導き、排気ファンにより外部に排気して反転搬送路を通過する記録媒体を冷却したことを特徴とするレーザープリンター。
【請求項４】
前記連結窓に常時はバネ力により閉塞される蓋を設け、前記連結窓に反転部排気ダクトを連結したとき、前記反転部排気ダクトに設けられた連結部によりバネ力に抗して蓋を開くように形成したことを特徴とする請求項３記載のレーザープリンター。
【請求項５】
前記連結部がダクト状に形成され、その上面に通気孔が設けられていることを特徴とする請求項４記載のレーザープリンター。
【請求項６】
前記連結部を反転部排気ダクトの下端面を延長して舌片状に形成されていることを特徴とする請求項４記載のレーザープリンター。
【発明の詳細な説明】
【０００１】
【発明の属する技術分野】本発明は、両面印刷ができるレーザープリンターに関し、特に両面印刷時における記録媒体である用紙などの紙詰まりなどに起因して生じる印刷不良を、簡単な構成で、かつ効率よく記録媒体を冷却することにより防止するようにしたものである。
【０００２】
【従来の技術】周知の通り、この種レーザープリンターは、例えば、カセットなどから記録媒体であるカットされた用紙を給紙ローラにより給紙し、レジストローラにより、観光ドラム上のトナー像との転写タイミングを取り、用紙上にトナー像を転写、加熱ローラにより前記トナー像を用紙上に熱定着し、排出ローラにより本体部外へ排出する構成となっている。
【０００３】近年、この種レーザープリンターの技術動向としては、オプションで両面印刷機能が要求され、記録媒体である用紙上にトナー像を熱定着後、更に用紙をレジストローラの前まで戻し、再度、印刷を行うものがある。
【０００４】図７は、オプションとして両面印刷機能を備えたレーザープリンターを説明するための概念図である。１は本体部、２はこの本体部１に両面印刷用にオプションとして増設される反転機構部２である。先ず、図示しないカセットから給紙ローラ１１により、給紙、搬送された用紙１２は、レジストローラ１３により、搬送タイミングを合わせ、感光ドラム１４上に形成されたトナー像が転写され、加熱ローラおよび加圧ローラなどからなる定着手段１５により、熱定着される。熱定着後、用紙１２は、搬送切り替え手段１６により両面印刷のための反転機構部２に導かれ、用紙反転後、用紙１２は、裏面印刷給紙口１８から再度レジストローラ１３を経て、感光ドラム１４上に形成されたトナー像が転写され、裏面印刷を行う。裏面定着後、用紙１２は、搬送切り替え手段１６、図示しない排出手段を経て、排紙トレーに排出される構成となっている。なお、図中１７は用紙１２を搬送する搬送路、２１は反転搬送路、３は、前記本体部１の定着手段１５により過熱された該雰囲気中の昇温した空気を排気するための排気ファンで、昇温した空気は点線３１で示したような通風経路を経由して本体部１の外部に排出される。
【０００５】ところで、上述のような構成では、用紙１２に転写されたトナー像を定着するため、高温の加熱ローラを備えた定着手段１５により裏面印刷を行う前の用紙１２が加熱される。このため、用紙１２にカールや、しわ、たわみが生じ、これに起因して紙詰まりや、印刷不良が発生する。
【０００６】この対策として従来では、例えば図７に示す反転機構部２の用紙入口側２２の側壁に、排気用ファン４を設け、この排気用ファン４により該反転機構部２内の用紙入口側２２近傍の空気を排気し、これにより反転搬送路２１を通過する用紙１２を冷却していた。
【０００７】
【発明が解決しようとする課題】しかし、このような構成によれば、用紙が加熱されることによる、カールや、しわ、たわみに起因する紙詰まりや、印刷不良を防止することはできるが、両面印刷時のみしか必要でない排気ファンを設ける必要があり、さらにその電源や配線作業が必要となり、部品点数が増加する他、コストおよび作業性の点で問題があった。
【０００８】なお、排気ファンを用いないで冷却することに関し、この種プリンターの分野では、例えば転写手段の周囲を通り、この転写手段の下方空間から上方空間に向かう通風経路をダクトにより形成し、自然対流により、前記転写手段を冷却するという技術がある（例えば、特許文献１参照）。
【０００９】
【特許文献１】
特開平１０−９７１６８号公報
【００１０】しかしながら、上述した特許文献１記載の技術は、前記転写手段を冷却するものであり、その後に加熱された用紙を冷却することに適用されるものではないため、両面印刷時に発生する上述した問題の解決手段とはなり得ない。
【００１１】本発明は、上述した問題を解決するためになされたものであり、反転機構部に別途排気ファンを設けることなく、両面印刷時に、定着手段により加熱された用紙を、反転機構部において効果的に冷却し、用紙のカールや、しわ、たわみに起因する紙詰まりや、印刷不良を防止するようにしたレーザープリンターを提供することを目的とする。
【００１２】
【課題を解決するための手段】かかる目的を達成するため、請求項１記載の発明では、記録媒体の搬送路と、この搬送路に配置され感光ドラム上にトナー像を担持し、このトナー像を前記記録媒体に転写させるための転写手段と、この転写手段を通過した記録媒体に転写されたトナー像を定着するための定着手段と、この定着手段を冷却するためその近傍の雰囲気を排気する排気ダクトと、この排気ダクト内を排気する排気ファンとを備えた本体部と、この本体部の搬送路に結合され、両面印刷時に前記記録媒体の印字面を反転させる反転手段と反転搬送路とを備えた反転機構部とからなるレーザープリンターにおいて、前記本体部の排気ダクトの経路中に形成され、常時はバネ力により閉塞される蓋を備えた連結窓と、前記反転機構部に形成され、その上端が前記連結窓に連結され、下端が反転搬送路の入口側近傍に連通する反転部排気ダクトと、反転搬送路の入口側近傍の前記反転部排気ダクトと相対する壁面に設けられた通気口とから成り、前記連結窓に反転部排気ダクトを連結したとき、前記反転部排気ダクトに設けられた連結部によりバネ力に抗して蓋を開き、前記通気口から吸入された空気を、反転搬送路の入口側近傍から反転部排気ダクトを経由して本体部の排気ダクトに導き、排気ファンにより外部に排気して反転搬送路を通過する記録媒体を冷却する。
【００１３】請求項１記載の発明の構成によれば、両面印刷時には、通気口から吸引された空気が、反転機構部の反転搬送路の入口側近傍から反転部排気ダクトを経由して本体部の排気ダクトに導かれ、排気ファンにより外部に排気されるので、裏面印刷のために前記反転搬送路の入口側から搬送されてきた高温の記録媒体は、通気口から吸引された空気により速やかに冷却され、記録媒体にカールや、しわ、たわみなどが生じない。従って、これに起因する紙詰まりや、印刷不良を防止することができる他、本体部側の排気ファンを兼用しているので、別途排気ファンなどの追加部品を必要としないとともに、配線などの追加作業も必要でなく、極めて安価となる。しかも、連結窓は、蓋により常時は閉塞されているので、反転機構部が結合されない状態、すなわち片面印刷用として使用されても、前記連結窓を介して外部から空気が流入するのが防止でき、定着手段近傍の通風経路に悪影響を与えず、効果的に定着手段近傍の排気を行うことができるとともに、定着手段に外部から塵埃などが侵入するのを防止することができる。
【００１４】請求項２記載の発明では、記録媒体の搬送路と、この搬送路に配置され感光ドラム上にトナー像を担持し、このトナー像を前記記録媒体に転写させるための転写手段と、この転写手段を通過した記録媒体に転写されたトナー像を定着するための定着手段と、この定着手段を冷却するためその近傍の雰囲気を排気する排気ダクトと、この排気ダクト内を排気する排気ファンとを備えた本体部と、この本体部の搬送路に結合され、両面印刷時に前記記録媒体の印字面を反転させる反転手段と反転搬送路とを備えた反転機構部とからなるレーザープリンターにおいて、両面印刷時、本体部の排気ファンにより反転機構部の反転搬送路近傍の空気を外部に排気して反転搬送路を通過する記録媒体を冷却用に兼用する。
【００１５】請求項２記載の発明の構成によれば、両面印刷時には、反転機構部の反転搬送路の入口側近傍の空気は、本体部側の排気ファンにより外部に排気されるので、裏面印刷のために前記反転搬送路の入口側から搬送されてきた高温の記録媒体は、該部を通過する空気により速やかに冷却され、記録媒体にカールや、しわ、たわみなどが生じない。従って、これに起因する紙詰まりや、印刷不良を防止することができる他、本体部側の排気ファンを兼用しているので、別途排気ファンなどの追加部品を必要としないとともに、配線などの追加作業も必要でなく、極めて安価となる。
【００１６】請求項３記載の発明では、記録媒体の搬送路と、この搬送路に配置され感光ドラム上にトナー像を担持し、このトナー像を前記記録媒体に転写させるための転写手段と、この転写手段を通過した記録媒体に転写されたトナー像を定着するための定着手段と、この定着手段を冷却するためその近傍の雰囲気を排気する排気ダクトと、この排気ダクト内を排気する排気ファンとを備えた本体部と、この本体部の搬送路に結合され、両面印刷時に前記記録媒体の印字面を反転させる反転手段と反転搬送路とを備えた反転機構部とからなるレーザープリンターにおいて、前記本体部の排気ダクトの経路中に形成された連結窓と、前記反転機構部に形成され、その上端が前記連結窓に連結され、下端が反転搬送路の入口側近傍に連通する反転部排気ダクトと、反転搬送路の入口側近傍の前記反転部排気ダクトと相対する壁面に設けられた通気口とから成り、前記連結窓に反転部排気ダクトを連結したとき、前記通気口から吸入された空気を、反転搬送路の入口側近傍から反転部排気ダクトを経由して本体部の排気ダクトに導き、排気ファンにより外部に排気して反転搬送路を通過する記録媒体を冷却する。
【００１７】請求項３記載の発明の構成によれば、両面印刷時には、通気口から吸引された空気が、反転機構部の反転搬送路の入口側近傍から反転部排気ダクトを経由して本体部の排気ダクトに導かれ、排気ファンにより外部に排気されるので、裏面印刷のために前記反転搬送路の入口側から搬送されてきた高温の記録媒体は、通気口から吸引された空気により速やかに冷却され、記録媒体にカールや、しわ、たわみなどが生じない。従って、これに起因する紙詰まりや、印刷不良を防止することができる他、本体部側の排気ファンを兼用しているので、別途排気ファンなどの追加部品を必要としないとともに、配線などの追加作業も必要でなく、極めて安価となる。
【００１８】請求項４記載の発明では、前記連結窓に常時はバネ力により閉塞される蓋を設け、前記連結窓に反転部排気ダクトを連結したとき、前記反転部排気ダクトに設けられた連結部によりバネ力に抗して蓋を開くように形成する。
【００１９】請求項４記載の発明の構成によれば、連結窓は、蓋により常時は閉塞されているので、反転機構部が結合されない状態、すなわち片面印刷用として使用されても、前記連結窓を介して外部から空気が流入するのが防止でき、定着手段近傍の通風経路に悪影響を与えず、効果的に定着手段近傍の排気を行うことができるとともに、定着手段に外部から塵埃などが侵入するのを防止することができ都合がよい。
【００２０】請求項５記載の発明では、前記連結部がダクト状に形成され、その上面に通気孔が設ける。
【００２１】請求項５記載の発明の構成によれば、ダクト状の連結部を連結窓に挿入すれば、蓋を開くことができ、しかも連結部では通気孔を介して排気経路を成形することができ都合がよい。
【００２２】請求項６記載の発明では、前記連結部を反転部排気ダクトの下端面を延長して舌片状に形成する。
【００２３】請求項５記載の発明の構成によれば、反転部排気ダクトの下端面を延長した舌片状ダクト状からなる連結部を連結窓に挿入すれば、蓋を開くことができ、しかも殊更通気孔を形成することなく排気経路を成形することができ都合がよい。
【００２４】
【発明の実施の形態】以下、本発明の一実施の形態を図１乃至図４に基づき説明する。なお、図１乃至図４において図７と同じ符号を付した部分は略同一のものを示す。
【００２５】図１は、本発明の一実施の形態によるオプションとして両面印刷機能を備えたレーザープリンターの概念図、図２は、図１に示すレーザープリンターの概略斜視図、図３は、図１に示すレーザープリンターの概略平面図、図４は、本体部の連結窓と反転機構部の反転部ダクトとの連結部分を示す概略断面側面図である。
【００２６】このレーザープリンターは、本体部１の定着手段１５近傍の雰囲気を排気する排気ダクト５の経路中の背面側壁に連結窓５１が形成されている。また、反転機構部２には、その上端が前記連結窓５１に連結されるダクト状の連結部６１有し、下端が反転搬送路２１の入口側２２近傍に連通する反転部排気ダクト６が設けられるとともに、反転搬送路２１の入口側２２近傍の前記反転部排気ダクト６と相対する壁面に通気口７が形成されている。
【００２７】次に、以上のような実施の形態において、両面印刷を行う場合について説明する。先ず、本体部１に反転機構部２を結合する際、前記連結窓５１にダクト状の連結部６１を挿入して排気ダクト５に反転部排気ダクト６を連結する。そして、図示しないカセットから給紙ローラ１１により、給紙、搬送された用紙１２は、レジストローラ１３により、搬送タイミングを合わせ、感光ドラム１４上に形成されたトナー像が転写され、加熱ローラおよび加圧ローラなどからなる定着手段１５により、熱定着される。熱定着後、用紙１２は、搬送切り替え手段１６により両面印刷のための反転機構部２に導かれる。このとき通気口７からは、外気の空気３２が吸引され、点線矢印で示すように反転搬送路２１の入口側２２近傍から反転部排気ダクト６を経由して本体部１の排気ダクト５に導かれ、排気ファン３によって排気されているので、裏面印刷のために前記反転搬送路２１の入口側２２から搬送されてきた高温の記録媒体１２は、通気口７から吸引された外部の空気３２により速やかに冷却される。該反転機構部２において、冷却および用紙反転後、用紙１２は、裏面印刷のために、裏面印刷給紙口１８から再度レジストローラ１３を経て、感光ドラム１４上に形成されたトナー像が転写され、裏面印刷が行われる。その後、裏面定着後、用紙１２は、搬送切り替え手段１６、図示しない排出手段などを経て、排紙トレーに排出されて両面印刷が行われる。
【００２８】以上のような実施の形態では、裏面印刷のために前記反転搬送路２１の入口側２２から搬送されてきた高温の記録媒体１２は、通気口７から吸引された外部の空気３２により速やかに冷却されるので、記録媒体１２にカールや、しわ、たわみなどが生じない。従って、これに起因する紙詰まりや、印刷不良を防止することができる他、吸気口７からの吸引に、本体部１側の排気ファン３を兼用しているので、別途排気ファンなどの追加部品を必要としないとともに、配線などの追加作業も必要でなく、極めて安価となる。
【００２９】次に、図５に示す本発明の他の実施の形態について説明する。なお、同図において図１乃至図４と同じ符号を付した部分は略同一のものを示す。以下相違点を中心に説明する。
【００３０】図５は、本体部の連結窓と反転機構部の反転部ダクトとの連結部分を示す概略断面側面図である。
【００３１】この形態では、排気ダクト５の経路中の背面側壁に形成された連結窓５１に常時はバネ５２のバネ力により閉塞される蓋５３を設け、この蓋５３が前記バネ５２のバネ力により連結窓５１から外部側に開かないように蓋５３および連結窓５１の上部側窓枠部分にそれぞれ互いに勘合する段部５４が形成されている。また、前記連結窓５１に連結されるダクト状の連結部６１の上面に通気孔６２が形成されている。このダクト状の連結部６１を挿入することにより、前記蓋５３の開閉を行うとともに、通気口６２を介して排気経路を成形している。
【００３２】この構成によれば、前述した形態のものと同様の作用効果を奏する他、連結窓５１は、蓋５３により常時は閉塞されているので、反転機構部２が結合されない状態、すなわち、片面印刷用として使用しても、前記連結窓５１を介して外部から空気が流入するのが防止でき、定着手段１５近傍の通風経路３１に悪影響を与えず、効果的に定着手段１５近傍の排気を行うことができるとともに、定着手段１５に外部から塵埃などの侵入が防止できるので、これに起因する印刷不良などが発生しない。更には、本体部１を片面印刷用と両面印刷とに区別して製作する必要がなく、高価な成形用金型などの標準化を図ることができ都合がよい。
【００３３】次に、図６に示す本発明の更に他の実施の形態について説明する。なお、同図において図１乃至図５と同じ符号を付した部分は略同一のものを示す。以下相違点を中心に説明する。
【００３４】図６は、本体部の連結窓と反転機構部の反転部ダクトとの連結部分を示す概略断面側面図である。
【００３５】図５の形態では、連結窓５１に連結されるダクト状の連結部６１の上面に通気孔６２を形成したが、この形態では、前記連結部６１を反転部排気ダクト６の下端面を延長して舌片状に形成したものである。
【００３６】この構成によれば、前述のものと同様の作用効果を奏する他、反転部排気ダクト６の下端面を延長した舌片状ダクトからなる連結部６１を連結窓５１に挿入すれば、蓋５３を開くことができ、しかも前述した形態のように殊更通気孔６２を形成することなく排気経路を成形することができ都合がよい。
【００３７】なお、上述した各実施の形態は、本発明の好適な実施の形態の例であるが、これに限定されるものではなく、本発明の要旨を逸脱しない範囲において、種々変形実施可能である。例えば、排気ファンの排気能力を両面印刷時には回転速度を早くするように制御し、片面印刷時の省電力化を図るようにしても良いのは勿論である。
【００３８】
【発明の効果】以上説明したように、請求項１記載の発明では、両面印刷時には、通気口から吸引された空気が、反転機構部の反転搬送路の入口側近傍から反転部排気ダクトを経由して本体部の排気ダクトに導かれ、排気ファンにより外部に排気されるので、裏面印刷のために前記反転搬送路の入口側から搬送されてきた高温の記録媒体は、通気口から吸引された空気により速やかに冷却され、記録媒体にカールや、しわ、たわみなどが生じない。従って、これに起因する紙詰まりや、印刷不良を防止することができる他、本体部側の排気ファンを兼用しているので、別途排気ファンなどの追加部品を必要としないとともに、配線などの追加作業も必要でなく、極めて安価となる。しかも、連結窓は、蓋により常時は閉塞されているので、反転機構部が結合されない状態で使用されても、前記連結窓を介して外部から空気が流入するのが防止でき、定着手段近傍の通風経路に悪影響を与えず、効果的に定着手段近傍の排気を行うことができるとともに、定着手段に外部から塵埃などの侵入を防止することができる。
【００３９】また、請求項２記載の発明では、両面印刷時には、反転機構部の反転搬送路の入口側近傍の空気は、本体部側の排気ファンにより外部に排気されるので、裏面印刷のために前記反転搬送路の入口側から搬送されてきた高温の記録媒体は、該部を通過する空気により速やかに冷却され、記録媒体にカールや、しわ、たわみなどが生じない。従って、これに起因する紙詰まりや、印刷不良を防止することができる他、本体部側の排気ファンを兼用しているので、別途排気ファンなどの追加部品を必要としないとともに、配線などの追加作業も必要でなく、極めて安価となる。
【００４０】また、請求項３記載の発明では、両面印刷時には、通気口から吸引された空気が、反転機構部の反転搬送路の入口側近傍から反転部排気ダクトを経由して本体部の排気ダクトに導かれ、排気ファンにより外部に排気されるので、裏面印刷のために前記反転搬送路の入口側から搬送されてきた高温の記録媒体は、通気口から吸引された空気により速やかに冷却され、記録媒体にカールや、しわ、たわみなどが生じない。従って、これに起因する紙詰まりや、印刷不良を防止することができる他、本体部側の排気ファンを兼用しているので、別途排気ファンなどの追加部品を必要としないとともに、配線などの追加作業も必要でなく、極めて安価となる。
【００４１】また、請求項４記載の発明では、連結窓は、蓋により常時は閉塞されているので、反転機構部が結合されない状態で使用されても、前記連結窓を介して外部から空気が流入するのが防止でき、定着手段近傍の通風経路に悪影響を与えず、効果的に定着手段近傍の排気を行うことができるとともに、定着手段に外部から塵埃などの侵入を防止することができ都合がよい。
【００４２】また、請求項５記載の発明では、ダクト状の連結部を連結窓に挿入すれば、蓋を開くことができ、しかも連結部では通気孔を介して排気経路を成形することができ都合がよい。
【００４３】更に、請求項６記載の発明では、反転部排気ダクトの下端面を延長した舌片状ダクト状からなる連結部を連結窓に挿入すれば、蓋を開くことができ、しかも殊更通気孔を形成することなく排気経路を成形することができ都合がよい。
【図面の簡単な説明】
【図１】本発明の一実施の形態によるオプションとして両面印刷機能を備えたレーザープリンターの概念図である。
【図２】図１に示すレーザープリンターの概略斜視図である。
【図３】図１に示すレーザープリンターの概略平面図である。
【図４】本体部の連結窓と反転機構部の反転部ダクトとの連結部分を示す概略断面側面図である。
【図５】本発明の他の実施の形態による本体部の連結窓と反転機構部の反転部ダクトとの連結部分を示す概略断面側面図である。
【図６】本発明の更に他の実施の形態による本体部の連結窓と反転機構部の反転部ダクトとの連結部分を示す概略断面側面図である。
【図７】オプションとして両面印刷機能を備えたレーザープリンターを説明するための概念図である。
【符号の説明】
１    本体部
１１  給紙ローラ
１２  記録媒体（用紙）
１４  感光ドラム
１５  定着手段
１６  搬送切り替え手段
１７  搬送路
２    反転機構部
２１  反転搬送路
２２  入口側
３    排気ファン
５    排気ダクト
５１  連結窓
５２  バネ
５３  蓋
５４  段部
６    反転部ダクト
６１  連結部
６２  通気口
【図１】
2004258159.tif 000003
【図２】
2004258159.tif 000004
【図３】
2004258159.tif 000005
【図４】
2004258159.tif 000006
【図５】
2004258159.tif 000007
【図６】
2004258159.tif 000008
【図７】
2004258159.tif 000009